(57)【要約】【課題】  携帯電話機と車載電話機に対して乗車状態と非乗車状態で異なる電話番号に基づいて通信サービスを提供する場合であっても、その通信サービスを受けるユーザが同一か否かをサーバに通知できるようにする。【解決手段】  ゲートウェイ装置が、携帯電話機及び車載電話機に共通のＵＩＤをその携帯電話機の電話番号及び車載電話機の電話番号に対応付けて記憶しておき、携帯電話機又は車載電話機からＣＰサーバ装置に対するデータ通信が要求されると、その要求元の電話機の電話番号に対応付けて記憶されたＵＩＤをＣＰサーバ装置に通知する。よって、携帯電話機のユーザが利用電話機を切り替えて車載電話機を利用している場合であっても、そのユーザのＵＩＤをサーバに通知することができ、ＣＰサーバ装置はユーザが同一性を判断することが可能となる。【選択図】      図１
2007053559.tif 000002
【特許請求の範囲】
【請求項１】
サーバ装置とデータ通信を行う携帯電話機と、
前記携帯電話機の電話番号とは異なる電話番号が割り当てられ、前記サーバ装置とデータ通信を行う車載電話機と、
前記携帯電話機及び前記車載電話機と前記サーバ装置との間のデータ通信を中継する中継装置とを備え、
前記中継装置は、
前記携帯電話機及び前記車載電話機に共通のユーザ識別情報を、前記携帯電話機の電話番号及び前記車載電話機の電話番号に対応付けて記憶した識別情報記憶手段と、
前記携帯電話機又は前記車載電話機から前記サーバ装置に対するデータ通信が要求されると、その要求元の電話機の電話番号に対応付けて前記識別情報記憶手段に記憶された前記ユーザ識別情報を前記サーバ装置に通知する通知手段とを有する
ことを特徴とする通信システム。
【請求項２】
複数の前記携帯電話機から１台の前記車載電話機に対して、ユーザが利用する利用電話機としての切替が可能であり、
前記車載電話機に対して利用電話機として切り替えられた携帯電話機の電話番号を記憶した記憶装置を備え、
前記車載電話機は、
前記サーバ装置とのデータ通信によってコンテンツを取得した場合、取得したコンテンツと、その取得時に前記車載電話機に対して利用電話機として切り替えられていた携帯電話機の電話番号とを対応付けて記憶したコンテンツ記憶手段と、
前記コンテンツ記憶手段によって記憶されたコンテンツを利用する場合、前記車載電話機に対して利用電話機として切り替えられている携帯電話機の電話番号を前記記憶装置に問い合わせる問い合わせ手段と、
前記問い合わせに応じて取得した携帯電話機の電話番号と、利用対象のコンテンツと対応付けて前記コンテンツ記憶手段に記憶された携帯電話機の電話番号とが一致する場合には前記コンテンツの利用を許可する一方、両者の電話番号が一致しない場合には前記コンテンツの利用を許可しない判断手段とを有する
ことを特徴とする請求項１記載の通信システム。
【請求項３】
複数の前記携帯電話機から１台の前記車載電話機に対して、ユーザが利用する利用電話機としての切替が可能であり、
前記車載電話機は、
前記車載電話機に対して利用電話機として切り替えられた携帯電話機の電話番号を記憶する切替電話機記憶手段と、
前記サーバ装置とのデータ通信によってコンテンツを取得した場合、取得したコンテンツと、その取得時に前記車載電話機に対して利用電話機として切り替えられていた携帯電話機の電話番号とを対応付けて記憶したコンテンツ記憶手段と、
前記コンテンツ記憶手段によって記憶されたコンテンツを利用する場合、前記切替電話機記憶手段の記憶内容を参照し、前記車載電話機に対して利用電話機として切り替えられている携帯電話機の電話番号を特定する特定手段と、
特定された携帯電話機の電話番号と、利用対象のコンテンツと対応付けて前記コンテンツ記憶手段に記憶された携帯電話機の電話番号とが一致する場合には前記コンテンツの利用を許可する一方、両者の電話番号が一致しない場合には前記コンテンツの利用を許可しない判断手段とを有する
ことを特徴とする請求項１記載の通信システム。
【請求項４】
それぞれ異なる電話番号が割り当てられた携帯電話機及び車載電話機とサーバ装置との間のデータ通信を中継する中継装置であって、
前記携帯電話機及び前記車載電話機に共通のユーザ識別情報を前記携帯電話機の電話番号及び前記車載電話機の電話番号に対応付けて記憶した識別情報記憶手段と、
前記携帯電話機又は前記車載電話機から前記サーバ装置に対するデータ通信が要求されると、その要求元の電話機の電話番号に対応付けて前記識別情報記憶手段に記憶された前記ユーザ識別情報を前記サーバ装置に通知する通知手段と
を備えることを特徴とする中継装置。
【請求項５】
複数の前記携帯電話機から１台の前記車載電話機に対して、ユーザが利用する利用電話機としての切替が可能であり、
前記識別情報記憶手段は、複数の前記携帯電話機と１台の前記車載電話機に共通のユーザ識別情報を前記複数の携帯電話機の電話番号及び前記１台の車載電話機の電話番号に対応付けて記憶していることを特徴とする請求項４記載の中継装置。
【請求項６】
複数の前記携帯電話機から１台の前記車載電話機に対して、ユーザが利用する利用電話機としての切替が可能であり、
前記識別情報記憶手段は、１台の前記携帯電話機と１台の前記車載電話機に共通のユーザ識別情報を前記１台の携帯電話機の電話番号及び前記１台の車載電話機の電話番号に対応付けて記憶しており、
前記通知手段は、車載電話機から前記サーバ装置に対するデータ通信が要求されると、その要求元の車載電話機に対して利用電話機として切り替えられている携帯電話機の電話番号を外部の記憶装置から取得し、取得した携帯電話機の電話番号及び前記車載電話機の電話番号に対応付けられて記憶されている前記ユーザ識別情報を前記サーバ装置に通知することを特徴とする請求項４記載の中継装置。
【請求項７】
携帯電話機との間で利用電話機として切り替えられて利用される車載電話機であって、
サーバ装置とデータ通信を行う通信手段と、
前記サーバ装置とのデータ通信によってコンテンツを取得した場合、取得したコンテンツと、その取得時に自機に対して利用電話機として切り替えられていた携帯電話機の電話番号とを対応付けて記憶したコンテンツ記憶手段と、
前記コンテンツ記憶手段によって記憶されたコンテンツを利用する場合、自機に対して利用電話機として切り替えられている携帯電話機の電話番号を外部の記憶装置に問い合わせる問い合わせ手段と、
前記問い合わせに応じて取得した携帯電話機の電話番号と、利用対象のコンテンツと対応付けて前記コンテンツ記憶手段に記憶された携帯電話機の電話番号とが一致する場合には前記コンテンツの利用を許可する一方、両者の電話番号が一致しない場合には前記コンテンツの利用を許可しない判断手段と
を備えることを特徴とする車載電話機。
【請求項８】
携帯電話機との間で利用電話機として切り替えられて利用される車載電話機であって、
サーバ装置とデータ通信を行う通信手段と、
自機に対して利用電話機として切り替えられた携帯電話機の電話番号を記憶する切替電話機記憶手段と、
前記サーバ装置とのデータ通信によってコンテンツを取得した場合、取得したコンテンツと、その取得時に自機に対して利用電話機として切り替えられていた携帯電話機の電話番号とを対応付けて記憶したコンテンツ記憶手段と、
前記コンテンツ記憶手段によって記憶されたコンテンツを利用する場合、前記切替電話機記憶手段の記憶内容を参照し、自機に対して利用電話機として切り替えられている携帯電話機の電話番号を特定する特定手段と、
特定された携帯電話機の電話番号と、利用対象のコンテンツと対応付けて前記コンテンツ記憶手段に記憶された携帯電話機の電話番号とが一致する場合には前記コンテンツの利用を許可する一方、両者の電話番号が一致しない場合には前記コンテンツの利用を許可しない判断手段と
を備えることを特徴とする車載電話機。
【発明の詳細な説明】
【技術分野】
【０００１】
本発明は、ユーザが携帯電話機と車載電話機を切り替えて利用するための技術に関する。
【背景技術】
【０００２】
ユーザが車両を運転しながら携帯電話機を使用する行為は、交通事故を誘発することがあるため、非常に危険な行為として問題視されている。そこで、このような行為を未然に防止するために、特許文献１には、車載電話機と携帯電話機との各々に共通の電話番号を割り当てておき、必要に応じて、これら車載電話機及び携帯電話機のうち一方だけを使用可能にする仕組みが提案されている。具体的には、携帯電話機が車両の外に位置するときには、車載電話機の電話機能を停止するとともに、携帯電話機を上記電話番号にて使用可能にする。一方、携帯電話機が車両の内部に持ち込まれた場合には、携帯電話機の電話機能を停止するとともに、車載電話機を上記電話番号にて使用可能にする。これにより、ユーザが車両に乗車しているときに上記電話番号に対する呼び出しがなされた場合には、携帯電話機ではなく車載電話機に着信することになる。よって、ユーザは車載電話機のハンズフリー通話機能を用いることで、運転中であっても安全に通話を行うことができるようになる。また、特許文献２には、上記の仕組みを改善したものとして、複数のユーザが同一の車両を利用する場合に、いずれのユーザが車両に乗車したとしても、乗車したユーザの携帯電話機に代えて車載電話機を使用可能にするための仕組みが提案されている。
【特許文献１】特開２００１−１９７５６０号公報
【特許文献２】特開２００４−１９３６４１号公報
【発明の開示】
【発明が解決しようとする課題】
【０００３】
上述したような従来技術と異なる手法としては、携帯電話機と車載電話機にそれぞれ別々の電話番号を割り当てておき、乗車中／非乗車中で携帯電話機と車載電話機を切り替えて使用するというものが考えられる。具体的には、図５ａに示すように、携帯電話機には電話番号ａを割り当て、車載電話機には電話番号ｂを割り当てておく。そして、非乗車状態では、電話番号ａを用いて音声通信サービス及びデータ通信サービスを携帯電話機に提供する一方、乗車状態では、携帯電話機に対しては一切の通信サービスを提供せずに、電話番号ｂを用いて車載電話機に通信サービスを提供する。なお、音声通信サービスには、映像や楽曲の配信サービスやいわゆるテレビ電話サービスなどのＡＶ（Audio Visual）サービスが含まれている。
【０００４】
しかし、このように異なる電話番号が割り当てられた携帯電話機及び車載電話機を乗車状態／非乗車状態で切り替えて使用する方法では、次のような問題が生じてくる。
例えば携帯電話機がインターネット上のＣＰ（Contents Provider）サーバにアクセスする場合、ＣＰサーバ装置側がアクセス元の携帯電話機を識別できるように、アクセス元の携帯電話機の電話番号と１対１で対応するユーザ識別情報（以下、ＵＩＤという）を移動通信網からＣＰサーバ装置に通知するようになっている。このような仕組みにより、ユーザがわざわざユーザＩＤなどの識別情報を携帯電話機に入力しなくても、ＣＰサーバ装置はアクセス元の携帯電話機を識別できるから、その携帯電話機のユーザ固有のメニュー画面やメッセージなどを携帯電話機に提供することが可能となる。
【０００５】
ところが、上記のように異なる電話番号を切り替えて使用する仕組みにおいては、乗車状態と非乗車状態とで使用する電話番号が異なるから、移動通信網からＣＰサーバ装置に通知されるＵＩＤも異なることになる。よって、乗車状態と非乗車状態とでユーザが同じであったとしても、ＣＰサーバ装置はアクセス元のユーザが同一であると認識することができない。
【０００６】
本発明はこのような事情に鑑みてなされたものであり、その目的は、ユーザが携帯し得る携帯電話機と車両に搭載された車載電話機に対し、乗車状態と非乗車状態で異なる電話番号に基づいて通信サービスを提供する場合であっても、その通信サービスを受けるユーザが同一か否かをサーバに通知することが可能な仕組みを提供することにある。
【課題を解決するための手段】
【０００７】
上述した課題を解決するため、本発明は、サーバ装置とデータ通信を行う携帯電話機と、前記携帯電話機の電話番号とは異なる電話番号が割り当てられ、前記サーバ装置とデータ通信を行う車載電話機と、前記携帯電話機及び前記車載電話機と前記サーバ装置との間のデータ通信を中継する中継装置とを備え、前記中継装置は、前記携帯電話機及び前記車載電話機に共通のユーザ識別情報を前記携帯電話機の電話番号及び前記車載電話機の電話番号に対応付けて記憶した識別情報記憶手段と、前記携帯電話機又は前記車載電話機から前記サーバ装置に対するデータ通信が要求されると、その要求元の電話機の電話番号に対応付けて前記識別情報記憶手段に記憶された前記ユーザ識別情報を前記サーバ装置に通知する通知手段とを有する通信システムを提供する。
【０００８】
サーバ装置からコンテンツを車載電話機にダウンロードした場合、そのダウンロードしたユーザにのみコンテンツ利用の権限があるという考え方に立つ場合、次のようにすることが望ましい。
つまり、前記車載電話機に対して利用電話機として切り替えられた携帯電話機の電話番号を記憶した記憶装置を備え、前記車載電話機は、前記サーバ装置とのデータ通信によってコンテンツを取得した場合、取得したコンテンツと、その取得時に利用電話機として切り替えられていた携帯電話機の電話番号とを対応付けて記憶したコンテンツ記憶手段と、前記コンテンツ記憶手段によって記憶されたコンテンツを利用する場合、利用電話機として切り替えられている携帯電話機の電話番号を前記記憶装置に問い合わせる問い合わせ手段と、前記問い合わせに応じて取得した携帯電話機の電話番号と、利用対象のコンテンツと対応付けて前記コンテンツ記憶手段に記憶された携帯電話機の電話番号とが一致する場合には前記コンテンツの利用を許可する一方、一致しない場合には前記コンテンツの利用を許可しない判断手段とを有する。
また、複数の前記携帯電話機から１台の前記車載電話機に対して、ユーザが利用する利用電話機としての切替が可能であり、前記車載電話機は、利用電話機として切り替えられた携帯電話機の電話番号を記憶する切替電話機記憶手段と、前記サーバ装置とのデータ通信によってコンテンツを取得した場合、取得したコンテンツと、その取得時に利用電話機として切り替えられていた携帯電話機の電話番号とを対応付けて記憶したコンテンツ記憶手段と、前記コンテンツ記憶手段によって記憶されたコンテンツを利用する場合、前記切替電話機記憶手段の記憶内容を参照し、利用電話機として切り替えられている携帯電話機の電話番号を特定する特定手段と、特定された携帯電話機の電話番号と、利用対象のコンテンツと対応付けて前記コンテンツ記憶手段に記憶された携帯電話機の電話番号とが一致する場合には前記コンテンツの利用を許可する一方、一致しない場合には前記コンテンツの利用を許可しない判断手段とを有する。
このようにすれば、コンテンツ利用の権限の無いユーザによってそのコンテンツが利用されるような事態を防止することができる。
【０００９】
また、本発明は、それぞれ異なる電話番号が割り当てられた携帯電話機及び車載電話機とサーバ装置との間のデータ通信を中継する中継装置であって、前記携帯電話機及び前記車載電話機に共通のユーザ識別情報を前記携帯電話機の電話番号及び前記車載電話機の電話番号に対応付けて記憶した識別情報記憶手段と、前記携帯電話機又は前記車載電話機から前記サーバ装置に対するデータ通信が要求されると、その要求元の電話機の電話番号に対応付けて前記識別情報記憶手段に記憶された前記ユーザ識別情報を前記サーバ装置に通知する通知手段とを備える中継装置を提供する。
【００１０】
複数の携帯電話機から１台の車載電話機に対して、ユーザが利用する利用電話機としての切替が可能であり、これら複数の携帯電話機と１台の車載電話機のユーザを全て同一とみなしてもよい場合には、複数の前記携帯電話機から１台の前記車載電話機に対して、ユーザが利用する利用電話機としての切替が可能であり、前記識別情報記憶手段は、複数の前記携帯電話機と１台の前記車載電話機に共通のユーザ識別情報を前記複数の携帯電話機の電話番号及び前記１台の車載電話機の電話番号に対応付けて記憶する。これにより、通信サービスを受ける携帯電話機又は車載電話機のユーザが同一か否かをサーバに通知することが可能となる。
一方、複数の携帯電話機から１台の車載電話機に対して、ユーザが利用する利用電話機としての切替が可能であるが、これら複数の携帯電話機のそれぞれのユーザを同一とみなしてはいけない場合は、複数の前記携帯電話機から１台の前記車載電話機に対して、ユーザが利用する利用電話機としての切替が可能であり、前記識別情報記憶手段は、１台の前記携帯電話機と１台の前記車載電話機に共通のユーザ識別情報を前記１台の携帯電話機の電話番号及び前記１台の車載電話機の電話番号に対応付けて記憶しており、前記通知手段は、車載電話機から前記サーバ装置に対するデータ通信が要求されると、その要求元の車載電話機との間で利用電話機として切り替えられている携帯電話機の電話番号を外部の記憶装置から取得し、取得した携帯電話機の電話番号と前記車載電話機の電話番号に対応付けられて記憶されている前記ユーザ識別情報を前記サーバ装置に通知する。このようにすれば、これら複数の携帯電話機のユーザを全て別々のユーザとしてサーバ装置に知らせることができる。
【００１１】
また、本発明は、携帯電話機との間で利用電話機として切り替えられて利用される車載電話機であって、サーバ装置とデータ通信を行う通信手段と、前記サーバ装置とのデータ通信によってコンテンツを取得した場合、取得したコンテンツと、その取得時に利用電話機として切り替えられていた携帯電話機の電話番号とを対応付けて記憶したコンテンツ記憶手段と、前記コンテンツ記憶手段によって記憶されたコンテンツを利用する場合、利用電話機として切り替えられている携帯電話機の電話番号を外部の記憶装置に問い合わせる問い合わせ手段と、前記問い合わせに応じて取得した携帯電話機の電話番号と、利用対象のコンテンツと対応付けて前記コンテンツ記憶手段に記憶された携帯電話機の電話番号とが一致する場合には前記コンテンツの利用を許可する一方、一致しない場合には前記コンテンツの利用を許可しない判断手段とを備える車載電話機を提供する。
【００１２】
また、本発明は、携帯電話機との間で利用電話機として切り替えられて利用される車載電話機であって、サーバ装置とデータ通信を行う通信手段と、利用電話機として切り替えられた携帯電話機の電話番号を記憶する切替電話機記憶手段と、前記サーバ装置とのデータ通信によってコンテンツを取得した場合、取得したコンテンツと、その取得時に利用電話機として切り替えられていた携帯電話機の電話番号とを対応付けて記憶したコンテンツ記憶手段と、前記コンテンツ記憶手段によって記憶されたコンテンツを利用する場合、前記切替電話機記憶手段の記憶内容を参照し、利用電話機として切り替えられている携帯電話機の電話番号を特定する特定手段と、特定された携帯電話機の電話番号と、利用対象のコンテンツと対応付けて前記コンテンツ記憶手段に記憶された携帯電話機の電話番号とが一致する場合には前記コンテンツの利用を許可する一方、一致しない場合には前記コンテンツの利用を許可しない判断手段とを備える車載電話機を提供する。
【発明を実施するための最良の形態】
【００１３】
以下、図面を参照しながら、実施形態の詳細について説明する。なお、本実施形態では、ユーザが車両に乗車していない状態（非乗車状態）から乗車している状態（乗車状態）になり、ユーザが利用する電話機を携帯電話機から車載電話機に切り替えることを「利用電話機の切替」と呼ぶ。一方、乗車状態から非乗車状態となり、ユーザが利用する電話機を車載電話機から携帯電話機に戻すことを「利用電話機の切替解除」と呼ぶことにする。
【００１４】
（１）構成
まず、実施形態の構成について説明する。
（１−１）システム全体の構成
図１に示す通信システムにおいて、車両１にはカーナビゲーション装置２が搭載されている。このカーナビゲーション装置２には車載モジュール３が接続されている。車両１に乗車している複数のユーザは、それぞれ携帯電話機４ａ，４ｂを携帯している。これらの携帯電話機４ａ，４ｂは、例えばＩＭＴ−２０００（International Mobile Telecommunucation-2000）方式の携帯電話機であり、移動通信網５によって提供される通信サービスを受けることが可能である。また、車載モジュール３とカーナビゲーション装置２とは互いに連携することによって、上記携帯電話機４ａ，４ｂとほぼ同様の電話機として機能し、移動通信網５から提供される通信サービスを受けることができる。以下では、これら車載モジュール３とカーナビゲーション装置２とを合わせて、「車載電話機１０」と呼ぶことにする。
【００１５】
移動通信網５は、携帯電話機４ａ，４ｂや車載電話機１０と無線通信を行う基地局５１と、網内の回線交換処理を行う交換局５２とを備えている。そして、この移動通信網５には、ホームロケーションレジスタ６と、音声メッセージ提供装置７と、ゲートウェイ装置８とが接続されている。ホームロケーションレジスタ６は、位置登録情報などの周知の情報が記憶されているほか、乗車状態／非乗車状態の別に応じて携帯電話機４ａ，４ｂや車載電話機１０に対して通信サービスを提供するために必要な情報を記憶する記憶装置である。音声メッセージ提供装置７は、携帯電話機４ａ，４ｂ及び車載電話機１０に音声メッセージを提供する。この音声メッセージ提供装置７には、いわゆる「特番」と呼ばれる、短縮された電話番号が割り当てられている。ゲートウェイ装置８は、移動通信網５とインターネット９との間でデータ通信を中継する中継装置である。インターネット９には複数のＣＰサーバ装置１０ａ，１０ｂが接続されている。
【００１６】
移動通信網５によって提供される通信サービスには大別して、音声通信サービスとデータ通信サービスとがある。音声通信サービスには、双方向もしくは片方向の音声信号を１対１で遣り取りするサービス（音声通話）や、双方向もしくは片方向のオーディオ／ビデオ信号を１対１で遣り取りするサービス（いわゆるテレビ電話や映像配信）などが含まれる。また、データ通信サービスは、ＩＰ（インターネットプロトコル）に準拠したパケット単位のデータ通信サービスや、電子メール或いはショートメッセージ（ＳＭＳ：Short Message Service）の配信サービスなどが含まれる。
【００１７】
（１−２）携帯電話機の構成
ここで、図２のブロック図を参照しながら、携帯電話機４ａの構成について説明する。
図２において、音声処理部４１ａは、マイクロホン４２ａから出力されてくる音声信号を音声デジタル信号にＡ／Ｄ変換するほか、データ変換部４３ａから出力されてくる音声デジタル信号を音声信号にＤ／Ａ変換し、スピーカ４４ａに出力する。データ変換部４３ａは、音声処理部４１ａから出力されてくる音声デジタル信号に対して変調処理を施すほか、無線部４５ａから出力されてくる信号を復調する。無線部４５ａは、データ変換部４３ａによって変調された音声デジタル信号を所定の周波数帯域の搬送波信号によって直交変調し、これを図示せぬアンテナから無線信号として送信する。また、無線部４５ａは、アンテナによって受信した無線信号を直交復調してデータ変換部４３ａに出力する。操作部４６ａは、オンフックやオフフック等の各種機能や、文字・数字などが割り付けられたキーを有しており、各キーに対するユーザの押圧操作に応じて操作信号を制御部４７ａに出力する。表示部４８ａは、制御部４７ａからの指示に基づいて各種の画像を表示する。記憶部４９ａは、ＲＯＭ（Read Only Memory）やＥＥＰＲＯＭ（Electrically Erasable and Programmable Read Only Memory）等の不揮発性記憶手段である。この記憶部４９ａには、携帯電話機４ａに割り当てられた電話番号（ＭＳＩＳＤＮ：Mobile Station International ISDN Number）と、ＩＭＵＩ（International Mobile User Identity）などの携帯電話機４ａそのものを一意に識別するための機器識別子と、各種の制御プログラムとが記憶されている。この制御プログラムには、ＷＷＷ（World Wide Web）ブラウザなどが含まれている。制御部４７ａは、マイクロプロセッサにより構成されており、記憶部４９ａに記憶されている制御プログラムを実行することで携帯電話機４ａの各部を制御する。
以上が携帯電話機４ａの構成である。なお、携帯電話機４ｂの構成も携帯電話機４ａと同様であるため、その説明は省略する。
【００１８】
（１−３）車載電話機の構成
次に、図３は、車載モジュール３及びカーナビゲーション装置２（つまり車載電話機１０）の構成を示すブロック図である。車載モジュール３は、前述した携帯電話機４ａと同様の構成である無線部３１、データ変換部３２及び音声処理部３３を備えるほか、マイクロプロセッサからなる制御部３４と、ＲＯＭやＥＥＰＲＯＭ等の記憶部３５とを備えている。この記憶部３５には、車載モジュール３（車載電話機１０）に割り当てられた電話番号や、車載モジュール３を車載電話機１０として一意に識別するための機器識別子（例えばＩＭＵＩ）や、各種の制御プログラムが記憶されている。制御部３４は、記憶部３５に記憶されている制御プログラムを実行することで車載モジュール３の各部を制御する。また、車載モジュール３は、通信インタフェース３７を備えており、この通信インタフェース３７を介してカーナビゲーション装置２に接続されている。この車載モジュール３及びカーナビゲーション装置２の間の通信接続の形態は、有線接続であっても無線接続であってもよい。有線接続の場合、通信インタフェース３７は、通信ケーブルを接続するためのコネクタや通信回路を備えるものであり、無線接続の場合、通信インタフェース３７は、ブルートゥース（登録商標）やＩｒＤＡ等の通信規格に従って通信を行う無線送受信回路を備えるものである。なお、図３に示した構成以外に、車載モジュール３をカーナビゲーション装置２に内蔵するようにしてもよいし、これら車載モジュール３とカーナビゲーション装置２とを、互いのコネクタとコネクタとを直接連結することで通信接続するようにしてもよい。
【００１９】
前述したように、車載モジュール３とカーナビゲーション装置２とは車載電話機として機能するが、車載モジュール３は、通話に必要なマイクロホンやスピーカを備えていない。そこで、車載モジュール３は、カーナビゲーション装置２に備えられたマイクロホン２１及びスピーカ２２を利用するようになっている。具体的には、車載モジュール３の音声処理部３３は、マイクロホン２１から出力される音声信号を通信インタフェース２３及び通信インタフェース３７を介して受け取り、これを音声デジタル信号にＡ／Ｄ変換してデータ変換部３２に供給する。また、音声処理部３３は、データ変換部３２から出力されてくる音声デジタル信号を音声信号にＤ／Ａ変換し、これを通信インタフェース３７及び通信インタフェース２３を介してスピーカ２２に出力する。これによって、ユーザはいわゆるハンズフリー通話を行うことができる。また、車載モジュール３は、携帯電話機４ａ，４ｂのような操作部や表示部を備えていないが、これらについても、上記と同様にカーナビゲーション装置２に備えられた操作部２４や表示部２５を利用するようになっている。
【００２０】
カーナビゲーション装置２の記憶部２７は、ハードディスクやＤＶＤ（Digital Versatile Disk）等の不揮発性記憶手段である。この記憶部２７には、ＷＷＷブラウザや、カーナビゲーション用の制御プログラムや、車載モジュール３と通信を行いつつ車載電話機１０として機能するための制御プログラムなどが記憶されている。制御部２６は、マイクロプロセッサにより構成されており、記憶部２７に記憶されている制御プログラムを実行することで、カーナビゲーション装置２の各部を制御する。測位部２８は、図示せぬＧＰＳ衛星から受信した航法メッセージに基づいて自身の位置を算出するものである。
【００２１】
（１−４）ホームロケーションレジスタに記憶されている内容
次に、図４は、ホームロケーションレジスタ６に記憶されている情報の一例を示す図である。ホームロケーションレジスタ６には、契約毎に割り当てられた「契約コード」と、携帯電話機か車載電話機かの別を示す「機器名」と、携帯電話機または車載電話機に割り当てられた「電話番号」と、利用電話機の切替がなされているか否かを表す「切替フラグ」と、利用電話機の切替の対象である携帯電話機を示す「切替対象フラグ」と、車載電話機（車載モジュール）に記憶されている「車載用ＰＩＮコード」と、携帯電話機または車載電話機（車載モジュール）に割り当てられた「機器識別子」とがそれぞれ対応づけられて記憶されている。これらの情報のうち、「契約コード」、「機器名」、「電話番号」、「車載用ＰＩＮコード」及び「機器識別子」は、ユーザからの届け出又は通信事業者の取り決めによって、予めホームロケーションレジスタ６に記憶されるものである。そして、「切替フラグ」と「切替対象フラグ」とが、携帯電話機又は車載電話機からの指示に応じて適宜書き換えられて記憶されるものである。
【００２２】
図４に示す例では、例えば電話番号「090-1111-1111」の携帯電話機（図１の携帯電話機４ａとする）と、「090-1111-1112」の携帯電話機（携帯電話機４ｂとする）と、電話番号「090-9999-9991」の車載電話機（車載電話機１０とする）とが１つの契約単位にまとめられている。つまり、これらの携帯電話機及び車載電話機の間で、利用電話機の切替（及び切替解除）がなされるという契約になっていることを意味している。これは、例えば携帯電話機４ａを利用するユーザと携帯電話機４ｂを利用するユーザとが家族であり、これらのユーザのいずれかが車載電話機１０を搭載する車両１を運転する、というようなケースである。
【００２３】
そして、これらの携帯電話機及び車載電話機に対応づけて切替フラグ「１」が設定されている場合は、車載電話機に対して利用電話機としての切替がなされていることを意味している。つまり、携帯電話機のユーザは車両に乗車中である。一方、切替フラグ「０」が設定されている場合は、車載電話機に対して利用電話機としての切替がなされていないこと（利用電話機の切替解除）を意味している。つまり、携帯電話機のユーザは車両に乗車していない状態である。そして、切替対象フラグは、車載電話機に対して利用電話機として切り替えられた（つまり利用電話機の切替対象の）携帯電話機に対して「１」が設定される。図４の例では、電話番号「090-1111-1111」の携帯電話機４ａと、「090-1111-1112」の携帯電話機４ｂと、電話番号「090-9999-9991」の車載電話機１０とからなる組については、利用切替フラグ「１」が設定されているから、利用電話機の切替がなされている。さらに、電話番号「090-1111-1111」の携帯電話機４ａについて切替対象フラグ「１」が設定されているから、携帯電話機４ａが車載電話機１０に対する利用電話機としても切替対象であることが示されている。
これに対し、電話番号「090-1111-1114」、「090-1111-1115」、「090-1111-1116」の携帯電話機と、電話番号「090-9999-9993」の車載電話機とからなる組については、利用切替フラグ「０」が設定されているから、利用電話機の切替がなされていない場合、つまりいずれの携帯電話機のユーザも車両に乗車していない場合を示している。
【００２４】
（１−５）通信サービスの提供形態
次に、図５ａは、乗車状態と非乗車状態において、携帯電話機と車載電話機に対して、どの通信サービスがどの電話番号に基づいて提供されるかということを示す概念図である。図中「ａ」と記された通信サービスは、電話番号ａに基づいて提供されることを意味しており、「ｂ」と記された通信サービスは、電話番号ｂに基づいて提供されることを意味しており、「−」と記された通信サービスは、提供することが許されていないことを意味している。図に示すように、非乗車状態（利用電話機の切替解除の状態）においては、携帯電話機は、自身の電話番号ａを用いて音声通信サービス及びデータ通信サービスを受けることができるが、車載電話機１０は、これらのサービスをうけることができない。一方、乗車状態（利用電話機の切替を行った状態）においては、利用電話機の切替対象である携帯電話機は通信サービスを受けることができず、車載電話機１０は、自身の電話番号ｂを用いて、音声通信サービス及びデータ通信サービスを受けることができるようになっている。
【００２５】
また、図５ｂは、２台の携帯電話機と車載電話機に対して、どの通信サービスがどの電話番号に基づいて提供されるかということを示す図である。この図５ｂに示すように、非乗車状態（利用電話機の切替解除の状態）においては、一方の携帯電話機は、自身の電話番号ａを用いて音声通信サービス及びデータ通信サービスを受けることができるし、他方の携帯電話機は、自身の電話番号ｃを用いて音声通信サービス及びデータ通信サービスを受けることができる。一方、乗車状態（利用電話機の切替を行った状態）においては、利用電話機の切替対象でない携帯電話機（電話番号ａの携帯電話機）は非乗車状態と同じようにサービスを受けることができるが、利用電話機の切替対象である携帯電話機（電話番号ｃの携帯電話機）は通信サービスを一切受けることができない。これに対し、車載電話機１０は、自身の電話番号ｂを用いて、音声通信サービス及びデータ通信サービスを受けることができるようになっている。
【００２６】
（１−６）ゲートウェイ装置の構成
次に、図６は、ゲートウェイ装置８の構成を示すブロック図である。図６に示すように、ゲートウェイ装置８は、制御部８１と、通信部８２と、記憶部８３とを備えている。制御部８１は、ＣＰＵなどの演算装置と、ＲＯＭやＲＡＭなどの各種メモリとを備えている。通信部８２は、移動通信網５やインターネット９に接続するためのインタフェースや通信制御回路を備えている。記憶部８３は、例えばハードディスク等の大容量の不揮発性記憶手段である。この記憶部８３には、制御部８１が後述する処理を実行するための手順が記述された制御プログラム（図示略）のほか、携帯電話機及び車載電話機に割り当てられた電話番号と、各ユーザに割り当てられたユーザ識別情報（ＵＩＤ）とが対応付けられて記憶されている。
【００２７】
図６に示す例では、例えば携帯電話機４ａの電話番号「090-1111-1111」及び車載電話機１０の電話番号「090-9999-9991」に共通のＵＩＤ「uid1111」が対応付けられている。従って、利用電話機の切替がなされていない場合には、携帯電話機４ａからＣＰサーバ装置１０ａ，１０ｂに対するデータ通信が要求されてくるはずであるから、制御部８１は、その携帯電話機４ａの電話番号に対応付けて記憶部８３に記憶されているＵＩＤ「uid1111」をＣＰサーバ装置１０ａ，１０ｂに通知する。一方、利用電話機の切替がなされている場合には、車載電話機１０からＣＰサーバ装置１０ａ，１０ｂに対するデータ通信が要求されてくるはずであるから、制御部８１は、その車載電話機１０の電話番号に対応付けて記憶部８３に記憶されているＵＩＤ「uid1111」をＣＰサーバ装置１０ａ，１０ｂに通知する。これにより、ＣＰサーバ装置１０ａ，１０ｂは、通知されたＵＩＤに基づいてアクセス元のユーザを識別することができる。
以上が本実施形態の構成である。
【００２８】
（２）動作
次に、本実施形態の動作について、次の順番で説明する。
（２−１）非乗車状態において通信サービスを提供する動作
（２−２）利用電話機の切替動作
（２−３）乗車状態において通信サービスを提供する動作
（２−４）利用電話機の切替の動作
（２−５）車載電話機にダウンロードしたコンテンツを利用する動作
なお、携帯電話機４ａ，４ｂ及び車載電話機１０の電話番号は、それぞれ図４に示した「090-1111-1111」、「090-1111-1112」及び「090-9999-9991」とする。また、これらの電話機のＵＩＤは、図６に示したとおり、「uid1111」、「uid1112」及び「uid1111」とする。
【００２９】
（２−１）非乗車状態において通信サービスを提供する動作
移動通信網５は、携帯電話機４ａに対しては、その携帯電話機の電話番号「090-1111-1111」を用いて、音声通信サービス及びデータ通信サービスを提供する。例えば携帯電話機４ａがＣＰサーバ装置１０ａにアクセスするような場合には、図７に示すような動作になる。
【００３０】
図７において、ユーザが携帯電話機４ａを操作してＣＰサーバ装置１０ａにアクセスすることを指示すると、携帯電話機４ａはこの操作を受け付けて（ステップＳ１）、ＣＰサーバ装置１０ａ宛のＨＴＴＰリクエストを送信する（ステップＳ２）。ゲートウェイ装置８は、このＨＴＴＰリクエストを中継する際に移動通信網５の交換局５２から通知される電話番号「090-1111-1111」に基づいて、この電話番号に対応するＵＩＤを記憶部８３内でサーチする（ステップＳ３）。次に、ゲートウェイ装置８は、このサーチの結果得られたＵＩＤ「uid1111」（図６参照）を上記ＨＴＴＰリクエストに付加してＣＰサーバ装置１０ａに送信する（ステップＳ４）。ＣＰサーバ装置１０ａは、ＨＴＴＰリクエストに付加されているＵＩＤに基づいてアクセスしているユーザを識別し、そのユーザに固有のメニュー画面を携帯電話機４ａに表示させるための画面データを生成して（ステップＳ５）、携帯電話機４ａに送信する（ステップＳ６）。ユーザは、携帯電話機４ａに表示されたメニュー画面を参照しながら各種操作を行うことができる。これ以降、上記と同様の処理の流れに従って、携帯電話機４ａとＣＰサーバ装置１０ａとの間でデータ通信がなされる（ステップＳ７）。
【００３１】
（２−２）利用電話機の切替動作
次に、利用電話機の切替の動作について説明する。
図８において、ユーザが携帯電話機４ａの操作部４６ａを操作して、音声メッセージ提供装置７の特番へ発呼することを指示する。携帯電話機４ａの制御部４７ａは、この発呼操作を受け付けると（ステップＳ１１）、入力された特番を含む発呼信号を無線部４５ａから送信する（ステップＳ１２）。これによって、音声メッセージ提供装置７と携帯電話機４ａとの間の電話回線が確立される。電話回線が確立されると、音声メッセージ提供装置７は、利用電話機の切替か切替解除かのいずれかを指定するように促す音声メッセージを携帯電話機４ａに送信する（ステップＳ１３）。
【００３２】
ユーザが携帯電話機４ａの操作部４６ａを用いて、利用電話機の切替を指示する操作を行うと、携帯電話機４ａの制御部４７ａは、この操作を受け付けて（ステップＳ１４）、切替指示を送信する（ステップＳ１５）。これに応じて、音声メッセージ提供装置７は、切替対象となる携帯電話機の電話番号を入力するように促す音声メッセージを携帯電話機４ａに送信する（ステップＳ１６）。ユーザが携帯電話機４ａに電話番号「090-1111-1111」を入力すると、携帯電話機４ａの制御部４７ａは、この操作を受け付けて（ステップＳ１７）、入力された電話番号を送信する（ステップＳ１８）。
【００３３】
音声メッセージ提供装置７は、受信した電話番号をホームロケーションレジスタ６に転送する（ステップＳ１９）。ホームロケーションレジスタ６は、自身が記憶している内容を参照して、受信した電話番号「090-1111-1111」に対応するレコードをサーチし（ステップＳ２０）、そのサーチ結果（ここでは対応するレコードが有った旨）を音声メッセージ提供装置７に送信する（ステップＳ２１）。次いで、音声メッセージ提供装置７は、車載用ＰＩＮコードの入力を促す音声メッセージを携帯電話機４ａに送信する（ステップＳ２２）。ユーザが携帯電話機４ａに車載用ＰＩＮコード「８５２３６」を入力すると、携帯電話機４ａの制御部４７ａは、この操作を受け付けて（ステップＳ２３）、入力された車載用ＰＩＮコードを送信する（ステップＳ２４）。音声メッセージ提供装置７は、受信した車載用ＰＩＮコードをホームロケーションレジスタ６に転送する（ステップＳ２５）。
【００３４】
そして、ホームロケーションレジスタ６は、ステップＳ２０におけるサーチにより特定されたレコードに、ステップＳ２５で受信した車載用ＰＩＮコード「８５２３６」が登録されているか否かを判断する。ここでは図４に示すごとく、電話番号「090-1111-1111」に車載用ＰＩＮコード「８５２３６」が対応づけられて登録されている。このように、携帯電話機から受信した電話番号と車載用ＰＩＮコードとが予め登録されているものと一致することで、携帯電話機４ａを操作するユーザの正当性を確認することができる。よって、ホームロケーションレジスタ６は、このレコードの切替フラグ「１」を設定するとともに、電話番号「090-1111-1111」に対応する利用切替対象フラグ「１」を設定する（ステップＳ２６）。これによって、利用電話機の切替が完了する。なお、上述したようにユーザが電話番号と車載用ＰＩＮコードの正しい組さえ入力すれば、そのユーザは正当と判断されるようになっている。よって、ユーザは、切替対象ではない携帯電話機（例えば携帯電話機４ｂ）を用いて、携帯電話機４ａを対象とした利用電話機の切替を指示することも可能である。
【００３５】
（２−３）乗車状態において通信サービスを提供する動作
移動通信網５は、車載電話機１０に対しては、その車載電話機の電話番号「090-9999-9991」を用いて、音声通信サービス及びデータ通信サービスを提供する。例えば図９に示すような動作となる。
ユーザが車載電話機１０の操作部２４を操作してＣＰサーバ装置１０ａにアクセスすることを指示すると、車載電話機１０の制御部３４はこの操作を受け付けて（ステップＳ３１）、ＣＰサーバ装置１０ａ宛のＨＴＴＰリクエストを無線部３１から送信する（ステップＳ３２）。ゲートウェイ装置８は、このＨＴＴＰリクエストを中継する際に移動通信網５から通知される電話番号「090-9999-9991」に基づいて、この電話番号に対応するＵＩＤを記憶部８３内でサーチする（ステップＳ３３）。次に、ゲートウェイ装置８は、サーチの結果得られたＵＩＤ「uid1111」（図６参照）を上記ＨＴＴＰリクエストに付加してＣＰサーバ装置１０ａに送信する（ステップＳ３４）。ＣＰサーバ装置１０ａは、上記ＨＴＴＰリクエストに付加されていたＵＩＤに基づいてアクセスしているユーザを識別し、そのユーザに固有のメニュー画面を車載電話機１０に表示させるための画面データを生成して（ステップＳ３５）、車載電話機１０に送信する（ステップＳ３６）。ユーザは、表示されたメニュー画面を参照しながら車載電話機１０において各種操作を行う。
【００３６】
ここで、例えばユーザがメニュー画面上に案内された或るコンテンツを保存する操作を行ったとする。すると、車載電話機１０はこの操作を受け付けて（ステップＳ３７）、ＣＰサーバ装置１０ａ宛のＨＴＴＰリクエストを送信する（ステップＳ３８）。ＣＰサーバ装置１０ａは、このＨＴＴＰリクエストに応じてコンテンツを記憶装置から読み出し、車載電話機１０に送信する（ステップＳ３９）。一方、車載電話機１０は、このコンテンツのダウンロードが完了すると、ホームロケーションレジスタ６に対して、自身の電話番号「090-9999-9991」を通知して、利用電話機の切替対象となっている携帯電話機の電話番号を問い合わせる（ステップＳ４０）。ホームロケーションレジスタ６は、この問い合わせに応じて自身の記憶内容をサーチし、車載電話機の電話番号「090-9999-9991」に対応して切替対象フラグ「１」が設定されている携帯電話機の電話番号「090-1111-1111」を取得し（図４参照）、これを車載電話機１０に送信する（ステップＳ４１）。車載電話機１０は、取得した携帯電話機の電話番号「090-1111-111」と、ダウンロードしたコンテンツとを対応付けて記憶部３５に記憶する（ステップＳ４２）。
【００３７】
（２−４）利用電話機の切替解除の動作
次に、利用電話機の切替解除の動作について説明する。
この場合、図１０に示すように、携帯電話機４ａの制御部４７ａは特番への発呼操作を受け付けると（ステップＳ１１）、入力された特番を含む発呼信号を送信する（ステップＳ１２）。音声メッセージ提供装置７と携帯電話機４ａとの間の電話回線が確立されると、音声メッセージ提供装置７は、利用電話機の切替か切替解除のいずれかを指定するように促す音声メッセージを携帯電話機４ａに送信する（ステップＳ１３）。ここまでは図６と同じである。
【００３８】
ここで、ユーザが携帯電話機４ａの操作部４６ａを用いて切替解除を指示する操作を行うと、携帯電話機４ａの制御部４７ａは、この操作を受け付けて（ステップＳ５１）、切替解除指示を送信する（ステップＳ５２）。この際、移動通信網５の発信者番号通知機能により、携帯電話機４ａの電話番号「090-1111-1111」が移動通信網５の交換局５２から音声メッセージ提供装置７に通知される。これに応じて、音声メッセージ提供装置７は、移動通信網５から通知された携帯電話機の電話番号「090-1111-1111」をホームロケーションレジスタ６に転送するとともに（ステップＳ５３）、切替解除の指示を受け付けた旨の音声メッセージを携帯電話機４ａに送信する（ステップＳ５４）。ホームロケーションレジスタ６は、自身が記憶している内容を参照して、転送されてきた電話番号「090-1111-1111」に対応するレコードをサーチし、この結果特定されたレコードの切替フラグ「０」を設定するとともに、電話番号「090-1111-1111」に対応する利用切替対象フラグ「０」を設定する（ステップＳ５５）。これによって、利用電話機の切替解除が完了する。
【００３９】
なお、上記（２−２）及び（２−４）で述べた利用電話機の切替または切替解除は、携帯電話機からの要求に応じて開始するのではなく、車載電話機からの要求に応じて開始するようにしてもよい。具体的には、ユーザが車載電話機（カーナビゲーション装置２）の操作部２４を操作して特番を入力して発呼を指示すると、これに応じて、車載電話機（車載モジュール３）の無線部３１から特番を含む発呼信号が音声メッセージ提供装置宛てに発信される、といった具合である。
【００４０】
（２−５）車載電話機にダウンロードしたコンテンツを利用する動作
次に、車載電話機１０にダウンロードしたコンテンツを利用する動作について説明する。図１１において、ユーザが車載電話機１０の操作部２４を操作してコンテンツを利用すること（ここでは音楽コンテンツを再生する場合を想定する）を指示すると、車載電話機１０の制御部３４は、この操作を受け付けて（ステップＳ６１）、まず、ホームロケーションレジスタ６に対して、現時点で利用電話機の切替対象となっている携帯電話機の電話番号を問い合わせる（ステップＳ６２）。その理由は、ＣＰサーバ装置からコンテンツをダウンロードしたユーザにのみそのダウンロード後のコンテンツ利用の権限がある、という考え方に立てば（例えば有償のコンテンツの場合）、まず、コンテンツを利用しようとしているユーザが誰であるかを判別しなければならないからである。
【００４１】
ホームロケーションレジスタ６は、この問い合わせに応じて自身の記憶内容をサーチし（ステップＳ６３）、車載電話機の電話番号「090-9999-9991」に対応付けて切替対象フラグ「１」が設定されている携帯電話機の電話番号「090-1111-1111」を取得し（図４参照）、これを車載電話機１０に送信する（ステップＳ６４）。車載電話機１０の制御部３４は、取得した携帯電話機の電話番号「090-1111-1111」と、再生対象のコンテンツと共に記憶部３５に記憶されている電話番号とを比較し、これらが一致しているかどうかを判断する（ステップＳ６５）。ここでが、共に「090-1111-1111」で一致するはずであるから、車載電話機１０の制御部３４は、コンテンツの利用を許可して音楽コンテンツを再生を開始する（ステップＳ６６）。一方、もしも両者が一致しない場合には、車載電話機１０の制御部３４はは、コンテンツの利用を許可せず、例えばエラーメッセージなどを表示部２５に表示する（ステップＳ６７）。
【００４２】
上述したように、本実施形態では、ゲートウェイ装置８が、携帯電話機４ａ及び車載電話機１０に共通のＵＩＤを、その携帯電話機の電話番号及び車載電話機の電話番号に対応付けて記憶しておく。そして、携帯電話機４ａ又は車載電話機１０からＣＰサーバ装置１０ａに対するデータ通信が要求されると、その要求元の電話機の電話番号に対応付けて記憶されたＵＩＤをＣＰサーバ装置１０ａに通知する。よって、携帯電話機４ａのユーザが利用電話機として車載電話機１０に切り替えて利用している場合であっても、そのユーザに固有のＵＩＤをＣＰサーバ装置１０ａに通知することができ、ＣＰサーバ装置１０ａはユーザの同一性を判断することが可能となる。
【００４３】
また、車載電話機１０は、ＣＰサーバ装置１０ａからダウンロードしたコンテンツを利用する場合、ホームロケーションレジスタ６に対して、利用電話機として切り替えられている携帯電話機の電話番号を問い合わせる。そして、車載電話機１０は、その問い合わせの結果得られた携帯電話機の電話番号と、利用対象のコンテンツと対応付けて記憶された携帯電話機の電話番号とを比較する。この結果、両者が一致する場合には車載電話機はコンテンツの利用を許可する一方、一致しない場合にはコンテンツの利用を許可しない。ＣＰサーバ装置からコンテンツをダウンロードしたユーザにのみそのダウンロード後のコンテンツ利用の権限がある場合には、上記の仕組みにより、コンテンツ利用の権限の無いユーザによってそのコンテンツが利用されるような事態を防止することができる。
【００４４】
（３）本発明は、上述した実施形態に限定されず、例えば次のような変更が可能である。
（３−１）変形例１
図９や図１１では、車載電話機１０が、切替対象の携帯電話機の電話番号をホームロケーションレジスタ６にその都度問い合わせるようにしていた。しかし、これに限らず、車載電話機１０自身が切替対象の携帯電話機の電話番号を常に記憶して管理するするようにしてもよい。
例えば、車載電話機１０と携帯電話機４ａ、４ｂに、ブルートゥースや赤外線などの近距離無線による通信機能を実装しておく。そして、車載電話機１０の制御部３４は、この通信機能を用いて近くに存在する携帯電話機に対して定期的に電話番号を問い合わせ、これを記憶部３５に記憶しておく。つまり、ここで記憶している電話番号が、利用電話機の切替対象となる携帯電話機の電話番号である。そして、車載電話機１０の制御部３４は、ＣＰサーバ装置１０ａとのデータ通信によりコンテンツを取得した場合、その取得時に上記通信機能により得て記憶しておいた携帯電話機の電話番号と、取得したコンテンツとを対応付けて記憶部３５に記憶する。記憶部３５に記憶されたコンテンツを利用する場合、制御部３４は、まず記憶部３５の記憶内容を参照し、利用電話機の切替対象となっている携帯電話機の電話番号を特定する。そして、制御部３４は、特定した携帯電話機の電話番号と、利用対象のコンテンツに対応付けて記憶されている携帯電話機の電話番号とが一致するか否かを判断する。一致する場合にはコンテンツの利用を許可し、一致しない場合にはコンテンツの利用を許可しないことになる。
【００４５】
（３−２）変形例２
上記の実施形態では、図４及び図６を参照すると理解できるように、複数の携帯電話機と１台の車載電話機に共通のＵＩＤが、これら複数の携帯電話機の電話番号及び車載電話機の電話番号に対応付けられて記憶されている。よって、例えば電話番号「090-1111-1111」の携帯電話機４ａから車載電話機１０に対して利用電話機の切替がなされた場合であっても、電話番号「090-1111-1112」の携帯電話機４ｂから車載電話機１０に対して利用電話機の切替がなされた場合であっても、車載電話機１０を利用する場合は、同一のＵＩＤ「uid1111」がＣＰサーバ装置に通知されることになる。これは、車載電話機１０を利用する場合においては、これら携帯電話機４ａ，４ｂのユーザを全て同一とみなす、という立場に立っているからである。このような考え方は、これら複数の携帯電話機のユーザが例えば家族のような組織に属する場合にはそれほど問題はない。
しかしながら、これら複数の携帯電話機のそれぞれのユーザを同一とみなすべきではない場合も当然ある。このような場合には、切替対象の携帯電話機が異なるのであれば、異なるＵＩＤをＣＰサーバ装置に通知するようにすべきである。上記の携帯電話機４ａ，４ｂと車載電話機１０の例でいうと、電話番号「090-1111-1111」の携帯電話機４ａから車載電話機１０に利用電話機の切替がなされた場合にＣＰサーバ装置に通知するＵＩＤと、電話番号「090-1111-1112」の携帯電話機４ｂから車載電話機１０に利用電話機の切替がなされた場合にＣＰサーバ装置に通知するＵＩＤとを異ならせればよい。そのためには、ゲートウェイ装置８は、１台の前記携帯電話機と１台の前記車載電話機にのみ共通のＵＩＤをそれらの電話番号に対応付けて記憶しておく。具体的には、電話番号「090-1111-1111」の携帯電話機４ａが利用電話機の切替対象となる場合にＣＰサーバ装置に通知するＵＩＤを「uid1111」とし、電話番号「090-1111-1112」の携帯電話機４ｂが利用電話機の切替対象となる場合にＣＰサーバ装置に通知するＵＩＤを「uid5555」とする。そして、ゲートウェイ装置８の制御部８１は、図９のステップＳ３２において、車載電話機１０からＨＴＴＰリクエストを受け取ると、まずホームロケーションレジスタ６に対して、現時点で利用電話機の切替対象になっている携帯電話機の電話番号を問い合わせる。この結果得られた携帯電話機の電話番号が例えば「090-1111-1112」であるとすると、制御部８１は、この電話番号「090-1111-1112」と車載電話機１０の電話番号「090-9999-9991」に対応付けられているＵＩＤ「uid5555」をＣＰサーバ装置に通知する。このようにすれば、複数の携帯電話機のユーザがそれぞれ車載電話機を利用する場合、これらのユーザを別々のユーザとしてＣＰサーバ装置に知らせることができる。
【００４６】
（３−３）変形例３
利用電話機の切替または切替解除を行う際には、携帯電話機が特番発信し、これに応じてその携帯電話機に音声メッセージを送信してユーザに操作を促すようにしていた。しかし、このような方法に限らず、携帯電話機に予め用意されたメニュー画面を表示させ、ユーザがこのメニュー画面を階層的に辿っていくことで、利用電話機の切替または切替解除のための操作を行うようにしてもよい。
【００４７】
（３−４）変形例４
実施形態では、車載モジュール３とカーナビゲーション装置２とが連携して車載電話機として機能していたが、車載電話機を構成する装置はこれらに限定されるものではない。また、携帯電話機は、ＩＭＴ−２０００方式に限定されるものではなく、ＰＤＣ（Personal Digital Cellular）方式、ＧＳＭ（Global System for Mobile Communications ）方式の携帯電話機であってもよいし、ＰＨＳ（Personal Handyphone System：登録商標）方式の簡易携帯電話機であってもよい。
【００４８】
（３−５）変形例５
上述した携帯電話機や車載電話機において実行されるプログラムは、磁気テープ、磁気ディスク、フロッピー（登録商標）ディスク、光記録媒体、光磁気記録媒体、ＣＤ（Compact Disk）−ＲＯＭ、ＤＶＤ、ＲＡＭなどの記録媒体に記録した状態で提供し得る。また、ネットワークを介して携帯電話機や車載電話機にダウンロードされるような形態であってもよい。
【図面の簡単な説明】
【００４９】
【図１】本発明の実施形態に係るシステムの構成を示すブロック図である。
【図２】同システムにおける携帯電話機の構成を示すブロック図である。
【図３】同システムにおける車載モジュールとカーナビゲーション装置の構成を示すブロック図である。
【図４】同システムにおけるホームロケーションレジスタが記憶している情報の一例を示す図である。
【図５ａ】同システムにおける通信サービスの提供形態を説明するための図である。
【図５ｂ】同システムにおける通信サービスの提供形態を説明するための図である。
【図６】ゲートウェイ装置の構成を示すブロック図である。
【図７】同システムの動作の一例を示すシーケンス図である。
【図８】同システムの動作の一例を示すシーケンス図である。
【図９】同システムの動作の一例を示すシーケンス図である。
【図１０】同システムの動作の一例を示すシーケンス図である。
【図１１】同システムの動作の一例を示すシーケンス図である。
【符号の説明】
【００５０】
１・・・車両、２・・・カーナビゲーション装置、３・・・車載モジュール、４ａ，４ｂ・・・携帯電話機、５・・・移動通信網、６・・・ホームロケーションレジスタ、７・・・音声メッセージ提供装置、８・・・ゲートウェイ装置、９・・・インターネット、１０・・・車載電話機、１０ａ，１０ｂ・・・ＣＰサーバ装置。
【図１】
2007053559.tif 000003
【図２】
2007053559.tif 000004
【図３】
2007053559.tif 000005
【図４】
2007053559.tif 000006
【図５ａ】
2007053559.tif 000007
【図５ｂ】
2007053559.tif 000008
【図６】
2007053559.tif 000009
【図７】
2007053559.tif 000010
【図８】
2007053559.tif 000011
【図９】
2007053559.tif 000012
【図１０】
2007053559.tif 000013
【図１１】
2007053559.tif 000014